(57)【特許請求の範囲】
【請求項１】
壁にスリットを形成するため、２個のハンドグリップ（１１，１３）を有するハウジング（１０）を設け、ハウジング（１０）には、少なくとも１個のディスク（５０）によって構成したスリット形成工具（４０）のための駆動ユニット（２０）を保持しかつキャリッジ（３０）に対して前記スリット形成工具（４０）のディスク平面に平行にばね（３６）のばね力に抗してキャリッジ（３０）の第１端部領域に配置した軸受（３４）の周りに回動自在にし、前記キャリッジ（３０）の第２端部領域には、前記ハウジング（１０）の方向に向かって突出しかつ調整自在の深さ止め（３３）を取り付けたロック軌条（３２）を設け、前記ハウジング（１０）には前記ロック軌条（３２）と係合して連係動作しかつ回動可能な戻り止め（１５１）を設け、この戻り止め（１５１）を前記ハンドグリップ（１１，１３）に設けたロックスイッチ（１４）によって動作させることができるようにした壁スリット形成装置において、前記ハウジング（１０）に、前記ロック軌条（３２）と係合して連係動作するロックアーム（１８）を設け、前記ロックアーム（１８）を前記ロック軌条（３２）に対してロック状態に押圧するばね部分（１９）を設け、前記戻り止め（１５１）には、前記ロックアーム（１８）に係合して連係動作する制御曲面（１５２）を設けたことを特徴とする壁スリット形成装置。
【請求項２】
前記ロックアーム（１８）に、少なくとも１個の突出部（１８１）を設け、この突出部（１８１）を前記ロック軌条（３２）の切除部（３２１）に形状ロックにより固定できるようにした請求項１記載の壁スリット形成装置。
【請求項３】
前記突出部（１８１）には、前記キャリッジ（３０）に背反する側の止め面（１８２）と、前記キャリッジに対向する側の案内面（１８３）とを設け、前記止め面（１８２）を前記ロック軌条（３２）の長さ方向に直交する方向に延在させ、前記案内面（１８３）を前記突出部（１８１）の遊端に向かって前記止め面（１８２）の方向に傾斜させた請求項２記載の壁スリット形成装置。
【請求項４】
前記ロックアーム（１８）を少なくとも部分的に前記ハウジング（１０）内に配置した請求項１乃至３のうちのいずれか一項に記載の壁スリット形成装置。
【請求項５】
前記ロックアーム（１８）を前記ハウジング（１０）に設けた少なくとも１個の軸受位置（１０２）の周りに回動自在にした請求項１乃至４のうちのいずれか一項に記載の壁スリット形成装置。
【発明の詳細な説明】
【０００１】
【発明の属する技術分野】
本発明は、壁にスリットを形成するため、２個のハンドグリップを有するハウジングを設け、ハウジングには、少なくとも１個のディスクによって構成したスリット形成工具のための駆動ユニットを保持しかつキャリッジに対して前記スリット形成工具のディスク平面に平行にばねのばね力に抗してキャリッジの第１端部領域に配置した軸受の周りに回動自在にし、前記キャリッジの第２端部領域には、前記ハウジングの方向に向かって突出しかつ調整自在の深さ止めを取り付けたロック軌条を設け、前記ハウジングには前記ロック軌条と係合して連係動作しかつ回動可能な戻り止めを設け、この戻り止めを前記ハンドグリップに設けたロックスイッチによって動作させることができるようにした壁スリット形成装置に関するものである。
【０００２】
特に、新築又は増築によって形成した壁内に電気配管を敷設するためには、収容溝を必要とし、この収容溝内に電気配管を壁構造の外面に直交させて配置することができる。このような収容溝を形成するためには壁スリット形成装置を使用し、壁構造に互いに平行に延びる少なくとも２個のスリットを切削加工する。これらのスリット間に延びる壁構造の領域は適当な工具によって壁構造から掘削する。スリットの深さ及びスリット間距離は、形成すべき収容溝の必要な寸法に基づく。
【０００３】
【従来の技術】
ドイツ国特許公開第１９５１１７２５号には、キャリッジと、このキャリッジに回動自在に連結したハウジングとを有する壁スリット形成装置が記載されている。この壁スリット形成装置は、スリット形成作業中に深さ止めに固定可能にし、この深さ止めはキャリッジからハウジングの方向に突出するロック軌条に沿って調整自在にする。この固定によって、ハウジングの深さ止めからの浮揚又はハウジングのキャリッジに対する傾斜の変動を回避し、これにより、一定深さのスリットを形成することができる。
【０００４】
ハウジングをキャリッジに固定するのは、回転をロックすることができるロックスイッチによって行い、このロックスイッチは、ハウジング内に配置した戻り止めと、この戻り止めに係合して連係動作するロックアームとにより構成する。このロックアームは深さ側面の一部であり、ハウジングの方向に突出する。ロックスイッチがロック軌条に対して釈放位置にある場合、このロックアームは、ハウジングに回転可能に配置した戻り止めに形状ロックによって連結することができる。
【０００５】
【発明が解決しようとする課題】
しかし、ハウジングの深さ止めに対する固定を行い、またロック軌条に対する深さ止めが調整自在であるため、壁スリット形成における不適当な処理によって予め選択したスリット深さが変動するような深さ止めの調整を行なう危険性がある。
【０００６】
従って、本発明の目的は、スリット形成中に、ロックスイッチを動作することによって予め選択したスリット深さが変動することがない安全かつ簡単に動作できる壁スリット形成装置を得るにある。
【０００７】
【課題を解決するための手段】
この目的を達成するため、本発明壁スリット形成装置は、前記ハウジングに、前記ロック軌条と係合して連係動作するロックアームを設け、前記ロックアームを前記ロック軌条に対してロック状態に押圧するばね部分を設け、前記戻り止めには、前記ロックアームに係合して連係動作する制御曲面を設けたことを特徴とする。
【０００８】
ハウジングをキャリッジのロック軌条に直接固定すると、ロックスイッチが動作している限り、ハウジング及びキャリッジは相対回転しない。
【０００９】
ハウジングのロック軌条に対する固定を確実かつ迅速におなうためには前記ロックアームに、少なくとも１個の突出部を設け、この突出部を前記ロック軌条の切除部に形状ロックにより固定できるようにする。
【００１０】
ロック軌条の切除部は例えば、刻み目を付けた領域により構成し、ロック軌条の長手方向に複数個の歯を配置する。ロックアームの突出部は、ハウジングをロック軌条に対して回動することにより、一方ではロック軌条切除部又は歯間の空間に突入し、また他方ではハウジングのキャリッジの方向への回動によって、切除部から抜け出て歯上を摺動することができるようにするため、前記突出部には、前記キャリッジに背反する側の止め面と、前記キャリッジに対向する側の案内面とを設け、前記止め面を前記ロック軌条の長さ方向に直交する方向に延在させ、前記案内面を前記突出部の遊端に向かって前記止め面の方向に傾斜させると好適である。
【００１１】
基礎に対する加工によってロックアームが汚れるのを回避するため、前記ロックアームを少なくとも部分的に前記ハウジング内に配置すると好適である。
【００１２】
製造技術上、前記ロックアームを前記ハウジングに設けた少なくとも１個の軸受位置の周りに回動自在にすると好適である。
【００１３】
【発明の実施の形態】
次に、図面につき本発明の好適な実施の形態を説明する。
【００１４】
図１に示す壁にスリットを形成する壁スリット形成装置は、ハウジング１０と、このハウジング１０に固定し、少なくとも１個のディスク５０により構成したスリット形成工具４０のための駆動ユニット２０と、及びキャリッジ３０とにより構成する。
【００１５】
キャリッジ３０に対してハウジング１０をスリット形成工具４０のディスク平面に対して平行にし、装置の一方の第１端部領域に配置した軸受３４の周りにばね３６のばね力に抗して回動自在にする。キャリッジ３０の各コーナーにローラ３１を配置し、作業すべき基礎Ｕ上でのキャリッジ３０の移動を容易にする。キャリッジ３０又は装置全体がスリット形成工具４０の平面に平行に移動できるようローラ３１を配置する。
【００１６】
駆動ユニット２０に連結した図示しない伝動装置の駆動軸２１に、スリット形成工具４０を構成する２個のディスク５０を固定し、これらのディスク５０の周囲に切り刃材料を取り付ける。
【００１７】
キャリッジ３０の軸受３４を設けた一方の第１端部領域の上方並びに第２端部領域の上方でハウジング１０にそれぞれハンドグリップ１１，１３を設ける。装置の第１端部領域に配置したハンドグリップ１１に電気スイッチ１２を設け、駆動ユニット２０を動作可能にする。装置の第２端部領域に配置したハンドグリップ１３には、ハウジング１０とキャリッジ３０との間の回動の制限する制動装置１５を動作させるロックスイッチ１４を設け、この制動装置１５の動作によりばね素子１７の力に抗して戻り止め１５１が回動する。戻り止め１５１のロック状態においては、ロックスイッチ１４は押し下げられない、即ち、図２に示すように、戻り止め１５１の制動面１５３がキャリッジ３０からハウジング１０の方向に突出するロック軌条３２の遊端上に当接するからである。同時に、戻り止め１５１の制御曲面１５２はばね部分１９の力に抗してロックアーム１８をロック軌条３２から離れるように押圧する。釈放状態では、戻り止め１５１はロック軌条３２に作用せず、ハウジング１０はキャリッジ３０に対して回動することができる。
【００１８】
ロック軌条３２には図面には詳細に示さないクランプ領域を設けた深さ止め３３を配置し、この深さ止め３３はロック軌条３２に沿って段階的に移動することができる。クランプ領域は、少なくとも１個の刻み目を設けた領域により構成したロック軌条３２の切除部３２１に形状ロックするよう作用する。同様にキャリッジ３０から突出する調整スケール３５に基づいて深さ止め３３を所要のスリット深さに調整することができるようにする。
【００１９】
図３に示すように、ロックスイッチ１４を動作させると、戻り止め１５１は伝達素子１６によってハウジング１０の回転軸線１０３の周りにロック状態から釈放状態に回転する。このようにして、戻り止め１５１に設けた制動曲面１５３からロック軌条３２は自由に釈放され、ハウジング１０はロック軌条３２又はキャリッジ３０の方向に回動することができる。
【００２０】
ハウジング１０の深さ止め３３に対向する制限面１０１がロック軌条３２に設けた深さ止め３３の止め面３３１に達することにより停止し、この状態を図４に示す。この状態では、所要のスリット深さとなるよう調整した深さ止め３３の位置にハウジング１０を抑止する。この状態はロックスイッチ１４を動作させるまで持続する。装置はこの作業状態に留まり、スリット形成工具４０のディスク５０はキャリッジ３０の作業基礎面Ｕに対向する側面から突出して突出し、この突出量は調整スケール３５により読み取ることができる。
【００２１】
深さ側面３３におけるハウジング１０の抑止は、ハウジング１０の軸受１０２の周りのロックアーム１８のキャリッジ３０に向かう方向への回動自在の構成によって生じ、このロックアーム１８はロック軌条３２に形状ロックで固定することができる。このような形状ロックによる固定は、ロックアーム１８に配置した突出部１８１がロック軌条３２の噛合領域を構成する切除部３２１と噛合することによって行なわれる。突出部１８１はロックアーム１８におけるハウジング１０の軸受１０２とは反対側の遊端領域に位置し、キャリッジ３０に背反する側の止め面１８２とキャリッジに対向する側の案内面１８３とを有する。止め面１８２はスリット形成工具４０のディスク面にほぼ平行に延び、ロック軌条３２の長手方向に直交して延びている。ロックアーム１８の遊端は案内面１８３によって構成し、この案内面１８３は突出部１８１の遊端に向かって止め面１８２に対して傾斜し、この止め面１８２に対して鋭角の角度をなす。
【００２２】
ロックアーム１８は絡み付けばねとして構成したばね部分１９によって作用し、このばね部分１９はハウジング１０の軸受位置１０２に配置する。ばね部分１９の第１の遊端領域をハウジング１０の止め端縁１０４に支持し、第２の遊端領域をロックアーム１８に作用させ、突出部１８１を戻り止め１５１の方向に押圧させる。
【００２３】
以下に、基礎面にスリットを形成するステップを詳細に説明する。
【００２４】
図２は、壁にスリットを形成する装置の初期状態における制動装置１５を示す。ロックスイッチ１４は押し下げておらず、ロック軌条３２の遊端が制動面１５３に当接し、戻り止め１５１がロック位置に留まっている。戻り止め１５１の制御曲面１５２はロックアーム１８をロック軌条３２から押し離している。
【００２５】
図３から明らかなように、戻り止め１５１は釈放状態であって、ハウジング１０はキャリッジ３０の方向に回動している。ロックアーム１８の突出部１８１はロック軌条３２に当接している。部分的に傾斜している案内面１８３はロック軌条３２の切除部３２１でロックアーム１８と噛合するのを妨げる作用をする。
【００２６】
図４は、壁スリット形成装置の作業状態における制動装置１５を示す。ハウジング１０の制限面１０１が深さ止め３３の止め面３３１に当接し、ロックアーム１８の突出部１８１がロック軌条３２の切除部３２１内に突入する。この作業位置で、制動装置は制御曲面１５２がロックアーム１８に隣接する。
【００２７】
スリット形成後には、基礎Ｕにおける図示しないスリットはロックスイッチ１４を解除することによって、バイアスがかかっているばね素子１７のばね力の下でロック位置にある戻り止め１５１を回転させる。戻り止め１５１の回転によって、戻り止め１５１の制御曲面１５２がばね部分１９の力に抗してロックアーム１８を釈放位置に押しやるよう作用する。これにより、ロックアーム１８とロック軌条３２との間の形状ロック連結は釈放され、キャリッジ３０のハウジング１０は図１に示した初期位置に再び回動することができる。
【図面の簡単な説明】
【図１】  本発明による壁スリット形成装置の休止状態の側面図である。
【図２】  図１に示す壁スリット形成装置のロック機構の拡大断面図であって、ハウジングのキャリッジに対する初期状態を示す拡大部分断面図である。
【図３】  ハウジングのキャリッジに対する中間状態を示す拡大部分断面図である。
【図４】  ハウジングのキャリッジに対する作業状態を示す拡大部分断面図である。
【符号の説明】
10  ハウジング
11,13   ハンドグリップ
12  電気スイッチ
14  ロックスイッチ
15  制動装置
16  伝達素子
17  ばね素子
18  ロックアーム
19  ばね部分
20  駆動ユニット
21  駆動軸
30  キャリッジ
31  ローラ
32  ロック軌条
33  深さ止め
34  軸受
35  調整スケール
36  ばね
40  スリット形成工具
50  ディスク
101   制限面
102   軸受
103   回転軸線
104   止め端縁
151   戻り止め
152   制御曲面
153   制動面
181   突出部
182   止め面
183   案内面
321   切除部
331   止め面
【図１】
0004237315.tif 000002
【図２】
0004237315.tif 000003
【図３】
0004237315.tif 000004
【図４】
0004237315.tif 000005